(57)【要約】【課題】  アンテナ支柱などの補強やメインテナンスを目的とし、交換や追加が簡略にできる支線リングを提供する。【解決手段】  一対のほぼ馬蹄形状の金属板に、ワイヤを挿通するための第一の貫通孔２と、接合に用いるための第二の貫通孔３を設け、第二の貫通孔にビスなどの接合手段を取り付けて、一対の金属板を一体化し、環状とする。このような構成とすることにより、支柱上部の搭載物をそのままにした状態で、支線リングの交換や追加が可能となる。また、第二の貫通孔に予め雌ネジを設けることで、接合のための部品を減らすことも可能である。【選択図】図１
2012134935.tif 000002
【特許請求の範囲】
【請求項１】
ほぼ馬蹄型形状の金属板に、ワイヤを挿通するための第一の貫通孔が少なくとも一つ設けられ、かつ接合に用いるための第二の貫通孔が少なくとも二つ設けられた支線リング個片の一対を、前記第二の貫通孔を用いて一体化してなることを特徴とする支線リング。
【請求項２】
前記一対の支線リング個片の、少なくとも一方の前記第二の貫通孔に雌ネジが設けられてなることを特徴とする、請求項１に記載の支線リング。
【発明の詳細な説明】
【技術分野】
【０００１】  本発明は、家屋の屋根などに設置するアンテナなどの、支柱を支持するワイヤを取り付けるための支持リングに関し、特に既存の支柱の補強や、メインテナンスに適した支線リングに関するものである。
【背景技術】
【０００２】  我が国においては、ＴＶ受像機がほぼ全家庭に普及していて、受信アンテナが一部の地域や建物を除いては、屋根の上に設置されている。受信アンテナを一般的な家屋の屋根に設置する際には、屋根馬と称される４本の脚を有する部材を設置し、その中央に金属管からなる支柱を直立させ、その先端部にアンテナを取り付けるという方法が行われている。【０００３】  その際、屋根馬だけでは支柱の支持強度が不十分なので、支持リングと称されるリングを支柱の適当な位置に取り付け、支持リングに予め設けてある貫通孔に、ステンレスなどの、錆が生じ難いワイヤの片方の端を挿通して固定し、他方の端を屋根の適当な位置に固定することが行われている。そしてこのワイヤは、４本程度を支柱を中心として放射状に配するのが一般的である。【０００４】  このような目的に用いる支線リングは、複数のアンテナのメーカーが製造販売しているが、非特許文献１及び非特許文献２に示されるように、その形状には特にメーカーの違いによる顕著な差が見られない。【０００５】  そして、これらの支線リングの問題点として、形状が環状であるため、アンテナ支柱のように、支線リングの内径より大きな物体が、支柱の先端に搭載されている場合においては、当該搭載物を、すべて外さないと、支線リングを交換したり、支柱の補強を目的として、新たな支線リングを嵌合させたりすることが、実質的に不可能であることが挙げられる。
【先行技術文献】
【非特許文献】
【０００６】
【非特許文献１】  ｈｔｔｐ：／／ｓｔｏｒｅ．ｓｈｏｐｐｉｎｇ．ｙａｈｏｏ．ｃｏ．ｊｐ／ａｎｔｅｎａ−ｂｕｈｉｎ／４９０．ｈｔｍｌ
【非特許文献２】  ｈｔｔｐ：／／ｓｔｏｒｅ．ｓｈｏｐｐｉｎｇ．ｙａｈｏｏ．ｃｏ．ｊｐ／ａｎｔｅｎａ−ｂｕｈｉｎ／ｒｓｇ２５．ｈｔｍｌ
【発明の概要】
【発明が解決しようとする課題】
【０００７】  従って、本発明の課題は、アンテナ支柱などの補強やメインテナンスを目的とした、交換や追加が簡略にできる支線リングを提供することにある。
【課題を解決するための手段】
【０００８】  本発明は、前記課題の解決のため、支線リングの構造を再検討し、２分割したリングを環状の形状となるように接合することで、支柱における任意の位置に取り付けることが可能であることに着目して、なされたものである。【０００９】  即ち、本発明は、ほぼ馬蹄形状の金属板に、ワイヤを挿通するための第一の貫通孔が少なくとも一つ設けられ、かつ接合に用いるための第二の貫通孔が少なくとも二つ設けられた支線リング個片の一対を、前記第二の貫通孔を用いて一体化してなることを特徴とする支線リングである。【００１０】  また、本発明は、前記一対の支線リング個片の、少なくとも一方の前記第二の貫通孔に雌ネジが設けられてなることを特徴とする、前記の支線リングである。
【発明の効果】
【００１１】  本発明による支線リングは、前記のように２分割されたリング、つまり、一対のほぼ馬蹄形状の金属板に設けられた接合用貫通孔を重ね合わせて、ビスなどの接合手段を用いて環状の形状に構成するので、支柱の先部から挿入する必要がなく、任意の位置から取り付け可能である。
【図面の簡単な説明】
【００１２】
【図１】  本発明に係る支線リングの一例を示す図。
【図２】  本発明に係る支線リングの使用状態の一例を示す図。
【図３】  本発明に係る支線リングの別の例を示す図。
【発明を実施するための形態】
【００１３】  次に具体的な図に基づいて、本発明の実施の形態について説明する。図１は、本発明に係る支線リングの一例を示す図で、図１（ａ）は支線リング個片、図１（ｂ）は一対の支線リング個片を重ねた状態、図１（ｃ）は２個の個片を重ねて、接合手段、つまりビスとナットを用いて一体化した状態である。
【００１４】  図１において、１は支線リング個片、２はワイヤを挿通するための第一の貫通孔、３は接合手段を取り付けるための第二の貫通孔、４はナット、５ａ、５ｂはワッシャ、６はビスである。
【００１５】  図２は、本発明の支線リングの使用状態の一例を示す図である。図２において、７はアンテナなど搭載するための支柱、８は支線リング、９ａ、９ｂはワイヤ、１０は固定金具で、これも支線リング８と同様に、２分割したものをビスなどの接合手段で取り付ける。このように本発明の支線リングを用いれば、支柱７の上部搭載物をそのままにした状態で支線リング８を交換したり、追加したりすることが可能となる。
【００１６】  図３は、本発明に係る支線リングの別の例を示す図で、一方の面が平坦になるようにしたものである。図３において、１１は雌ネジ部、１２はざぐり部である。この例では、片側の支線リング個片に段差を設け、図１におけるナットの代替として、雌ネジ部１１を設け、ビスを挿入する側には、ざぐり部１２を設けてある。このような構成としてあるために、実際に使用する際には、図２における固定金具との間にガタが生ぜず、作業性や取り付け後の安定性が向上する。
【００１７】  以上に説明したように、本発明によれば、従来よりも簡単に交換や追加が可能な支線リングを提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００１８】１          支線リング個片
２          第一の貫通孔
３          第二の貫通孔
４          ナット
５ａ，５ｂ  ワッシャ
６          ビス
７          支柱
８          支線リング
９ａ，９ｂ  ワイヤ
１０        固定金具
１１        雌ネジ部
１２        ざぐり部
【図１】
2012134935.tif 000003
【図２】
2012134935.tif 000004
【図３】
2012134935.tif 000005